(57)【要約】      （修正有）【課題】熟練作業者でなくても空調配管の取付や交換の作業を容易に行え、作業負担の軽減が図れる空調配管用支持具を提供する。【解決手段】上部吊り金具１０と、上部吊り金具１０にボルト３０を介して着脱可能に支持される配管支持部２０を備える。配管支持部２０は、空調配管１を受ける配管受け部２３と、空調配管１を配管受け部２３の内側に案内する案内開口部と、案内開口部を開閉する開閉部２５を備える。開閉部２５は配管受け部２３に蝶番２４を介して取り付ける。【選択図】図１
0003211770.tif 000002
【実用新案登録請求の範囲】
【請求項１】
建物の天井内部に空調配管を吊下げ支持する空調配管用支持具であって、
建物の天井内部の上面に吊下げ支持される上部吊り部材と、当該上部吊り部材に係止部材を介して着脱可能に支持される配管支持部を備え、
前記配管支持部が、空調配管を受ける配管受け部と、空調配管を上方乃至側方から前記配管受け部の内側に案内する案内開口部と、案内開口部を開閉する開閉部を備えていることを特徴とする空調配管用支持具。
【請求項２】
前記開閉部が前記配管受け部の縁部にヒンジを介して取り付けられ、前記案内開口部が前記開閉部により閉じられるとともに当該開閉部材が前記係止部材により係止されることを特徴とする請求項１記載の空調配管用支持具。
【請求項３】
前記係止部材がボルト部材からなり、前記開閉部材側に前記ボルト部材に螺合可能なナット部材が設けられていることを特徴とする請求項１または請求項２に記載の空調配管用支持具。
【請求項４】
前記配管受け部が非金属部材からなることを特徴とする請求項１ないし請求項３のいずれか一項に記載の空調配管用支持具。
【考案の詳細な説明】
【技術分野】
【０００１】
本考案は、建物の空調に用いられる空調配管を支持するための支持具に関するものである。
【背景技術】
【０００２】
一般にオフィスビルや商業施設、病院などの空調は、各階の天井内に吸気・排気用のダクトや保温材で周囲が被覆された熱交換用の冷媒配管がめぐらされ、空調機で温度・温度、風量が調節された空気が各階の室内に供給され、また換気されるようになっている。ダクトを含む空調配管は天井壁面から例えば１ｍ〜１．５ｍ間隔で支持具により吊下げられ支持されるようになっている。
【０００３】
例えば、特許文献１には配管の吊り金具の例が開示されている。特許文献２には、空調配管をカバーで覆い、取付け具を介して天井壁面から吊下げる例が開示されている。特許文献３には配管を可撓性バンドで吊下げ、天井吊りボルトと支持部材とバンド固定部を用いて配管を支持する例が開示されている。
【先行技術文献】
【特許文献】
【０００４】
【特許文献１】実開昭６１−１５４３８４号公報
【特許文献２】実公平６−５５３３号公報
【特許文献３】特開２０１６−１９６９３２号公報
【考案の概要】
【考案が解決しようとする課題】
【０００５】
しかしながら、特許文献１の吊り金具は、吊り金具が結露して天井裏に水滴が落下し、天井にしみを付けたり、天井から水滴が室内に落下するという問題がある。特許文献２のカバーは結露の問題は解消されるが、施工性が悪くなるという問題がある。特に天井内部の狭い空間での施工には困難が伴う。特許文献３の支持具は、作業の容易性を改善せんとするものであるが、現場でバンド固定部を用いて支持部材に可撓性バンドを連結支持させる作業が必要で、細かな手作業が必要となり、作業性が十分改善されているとは言えない。
【０００６】
特に近年は現場の熟練作業者が減少し、また、空調配管の吊り下げは高所作業を伴うことから、熟練作業者でなくても作業が容易に行え、また、作業負担の軽減につながることが望ましい。
【０００７】
本考案は上記課題に鑑みてなされたもので、熟練作業者でなくても空調配管の取付や交換の作業を容易に行え、作業負担の軽減が図れる空調配管用支持具を提供することを目的とする。
【課題を解決するための手段】
【０００８】
上記課題を解決するために、本考案は建物の天井内部に空調配管を吊下げ支持する空調配管用支持具であって、
建物の天井内部の上面に吊下げ支持される上部吊り部材と、当該上部吊り部材に係止部材を介して着脱可能に支持される配管支持部を備え、
前記配管支持部が、空調配管を受ける配管受け部と、空調配管を上方乃至側方から前記配管受け部の内側に案内する案内開口部と、案内開口部を開閉する開閉部を備えていることを主要な特徴とする。
【０００９】
本考案に係る空調配管用支持具は、前記開閉部が前記配管受け部の縁部にヒンジを介して取り付けられ、前記案内開口部が前記開閉部により閉じられるとともに当該開閉部材が前記係止部材により係止されることを第２の特徴とする。
【００１０】
本考案に係る空調配管用支持具は、前記係止部材がボルト部材からなり、前記開閉部材側に前記ボルト部材に螺合可能なナット部材が設けられていることを第３の特徴とする。
【００１１】
本考案に係る空調配管用支持具は、前記配管受け部が非金属部材からなることを第４の特徴とする。
【考案の効果】
【００１２】
以上説明したように、本考案に係る空調配管用支持具を用いることにより、熟練作業者でなくても高所での空調配管の取付や交換の作業を容易に行うことができ、作業の効率性に優れ、作業の安全確保、作業負担の軽減を図ることができるという優れた効果を奏する。
【図面の簡単な説明】
【００１３】
【図１】本考案に係る空調配管用支持具の正面図、
【図２】図１に示す支持具の側面図、
【図３】図１に示す支持具の平面図、
【図４】図１に示す支持具を天井内部の上面から吊下げ支持した状態で、支持具の開閉部を開いた状態を示す説明図、
【図５】図４に示す支持具の配管受け部に２本の空調配管をセットし、開閉部を閉じた状態を示す説明図、
【図６】本考案に係る支持具の他の使用例を示すもので、配管受け部にダクトを支持させた例を示す説明図、
【図７】本考案に係る支持具のさらに他の使用例を示すもので、配管受け部に空調配管とケーブルを支持させた例を示す説明図である。
【考案を実施するための最良の形態】
【００１４】
本考案を実施するための一実施形態を、図面を参照しながら説明する。図１ないし図３は本考案に係る支持具を示すもので、これらの図において符号１は空調配管、符号Ｓは支持具を示している。
【００１５】
図１に示すように、空調配管１は、一例として内部を空調用（熱交換用）の冷媒が通る金属製の管体からなり、その周囲に保護部材２が被覆されている。
【００１６】
支持具Ｓは、図１に示すように、上部吊り金具１０と、空調配管１を水平に支持する配管支持部２０とを備えており、配管支持部２０は、ボルト３０によって上部吊り金具１０に着脱可能に連結支持され、上部吊り金具１０によって吊下げ支持されるようになっている。
【００１７】
上部吊り金具１０は、金属板を下向きに折り曲げてなる金具本体１１の上面１１ａに設けられた貫通孔１２にナット１３が上向きに遊嵌され、金具本体１１の下向きに延びる先端部１１ｂにはボルト３０を挿通させる挿通孔１４が貫通して設けられている。ナット１３は、その頭部１３ａが金具本体１１の内側に配置されて、金具本体１１の内側面に形成された左右の突起１１ｃ、１１ｃによって支持され、これによりナット１３が金具本体１１から抜けないようになっている。
【００１８】
ナット１３は、下向きの天井吊りボルト３に螺合できるようになっており、天井内部の上面４（図４参照）に下向きに取り付けられた天井吊りボルト３にナット１３を螺合させることによって、上部吊り金具１０を天井内部の上面４から吊り下げ支持できるようになっている。
【００１９】
配管支持部２０は、一対の上部連結片２１、２２と、一方の上部連結片２１の下部連結部２１ａに一体に固定支持された断面円弧状の配管受け部２３と、配管受け部２３の自由端側の縁部に蝶番２４を介して回動可能に支持された開閉部２５から構成され、開閉部２５は他方の上部連結片２２の下部連結部２２ａに一体に固定支持されている。
【００２０】
上部連結片２１、２２は、それぞれの下部連結部２１ａ、２２ａが配管受け部２３、開閉部２５の形状に合わせて湾曲形状をなし、下部連結部２１ａ、２２ａから上向きに続く垂直部２１ｂ、２２ｂにボルト３０を挿通させる貫通孔２６が貫通して設けられている。一方の垂直部２２ｂには貫通孔２６の位置に合わせて外面にナット２７が固定されている。ナット２７はボルト３０の先端を螺合できるようになっており、ナット２７にボルト３０の先端を螺合することにより、開閉部２５を閉じて、空調配管１を配管受け部２３の内部に保持できるようになっている。
【００２１】
配管受け部２３および開閉部２５は、いずれも合成樹脂製からなり、軸方向に断面視して、開閉部２５が閉じた状態で、全体として、空調配管１の周囲を囲む断面円形状をなし、蝶番２４の回りに開閉部２５が開くと、蝶番２４と一方の上部連結片２１との間に、図４に示すように、水平姿勢の空調配管１を配管受け部２３の内側に案内する案内開口部２８が形成されるようになっている。
【００２２】
配管受け部２３および開閉部２５は、図２を参照して、側面視すると、軸方向に所定の長さ（例えば図示例の場合、１５０ｍｍ）を有し、上端にいくに従って軸方向の寸法が短くなるテーパ形状をしている。これにより、開閉部２５を開いたときに、水平姿勢の空調配管１をスムーズに配管受け部２３内部にセットできるようになっている。なお、図３の平面図において、配管受け部２３の構造が見やすいように、上部吊り金具１０が省略されている。
【００２３】
次に、図４および図５を参照しながら、支持具Ｓを用いて、空調配管１を天井内部に配置する手順について説明する。
【００２４】
図４に示すように、天井内部の上面４に取り付けられた天井吊りボルト３に対し上部吊り金具１０のナット１３を螺合させ、上部吊り金具１０を天井内部の上面４から吊り下げる。次に、ボルト３０を配管受け部２３の上部連結部２１の挿通孔２６および上部吊り金具１０の挿通孔１４に通し、配管受け部２３を上部連結部２１に吊下げる。
【００２５】
そして、配管受け部２３に対し、図４に示すように、開閉部２５を開いた状態で、水平状態の空調配管１を、案内開口部２８から配管受け部２３内に案内し、配管受け部２３内に支持させる。最後に、図５に示すように、蝶番２４回りに開閉部２５を回動させて開閉部２５を閉じ、上部連結部２２の挿通孔２６にボルト３０を通してナット２７に螺合させる。
【００２６】
これにより、支持具Ｓに支持させた状態の空調配管１を天井内部に配置することができる。上記支持具Ｓによると、次のような効果を奏する。
【００２７】
（１）天井内部の上面４に取り付けられた天井吊りボルト３に上部吊り金具１０を吊下げ支持するとともに、ボルト３０で配管受け部２０を上部吊り金具１０に吊下げておき、案内開口部２８から水平状態の空調配管１を配管受け部２０内に容易にセットし、支持させることができる。後は、蝶番２４回りに開閉部２５を閉じて、ボルト３０をナット２７に螺合する簡単な作業で、空調配管１を配管受け部２３内に保持することができる。
【００２８】
（２）空調配管の設置作業が容易に行えるので、脚立等を利用した高所での作業であっても作業を効率的に行え、また、熟練作業者でなくても、空調配管の設置作業を簡単に行え、作業負担が重くならない。特に作業負担の軽減のメリットが大きく、作業の安全性が高まる。
【００２９】
（３）古い空調配管を新しい空調配管と交換する場合、開閉部２５を開けて、古い空調配管を下し、新しい空調配管を配管受け部２３内にセットし、後は開閉部２５をボルト３０とナット２７で閉じればよい。開閉部２５が蝶番２４で配管受け部２３の縁部に連結されているから、従来のようにカバー部材を落下させる心配もない。空調配管の交換作業も簡単に効率よく実施できる。
【００３０】
（４）配管受け部２３および開閉部２５が合成樹脂製からなるから、結露が発生せず、天井に染みが付いたり、天井から水滴が室内に落下するといった不具合が生じない。
【００３１】
図６は、空調配管の他の例として、空気搬送用のダクト５を支持具Ｓで支持する例である。このように空調配管としては図１に示す冷媒用の配管に限らない。
【００３２】
図７は、さらに他の応用例として、配管受け部２３内に１又は複数本の空調配管１（図示例は２本）を支持させるとともに、配管受け部２３の隙間Ｋに１又は複数本のケーブル６（図示例は２本）を通してケーブル６を配管受け部２３内に支持させる例である。ケーブル６には、ＬＡＮケーブル、光ケーブル、電話ケーブル、電気配線ケーブルなどが含まれる。
【００３３】
かくして、本考案の空調配管用支持具によると、熟練作業者でなくても空調配管の取付や交換の作業を容易に行え、作業負担の軽減が図れる空調配管用支持具を実現することができた。
【産業上の利用可能性】
【００３４】
本考案は、空調配管用の支持具として利用可能である。
【符号の説明】
【００３５】
１  空調配管
２  保護部材
３  天井吊りボルト
４  天井内部の上面
５  ダクト
６  ケーブル
１０  上部吊り金具（上部吊り部材）
１１  金具本体
１１ａ  上面
１１ｂ  先端部
１１ｃ  突起
１２、２６  貫通孔
１３、２７  ナット
１３ａ  ナットの頭部
１４  挿通孔
２０  配管支持部
２１、２２  上部連結片
２１ａ、２２ａ  下部連結部
２１ｂ、２２ｂ  垂直部
２１ｃ、２２ｃ  連結支持部
２３  配管受け部
２４  蝶番（ヒンジ）
２５  開閉部
２８  案内開口部
３０  ボルト（係止部材）
Ｋ  隙間
Ｓ  支持具（空調配管用支持具）
【図１】
0003211770.tif 000003
【図２】
0003211770.tif 000004
【図３】
0003211770.tif 000005
【図４】
0003211770.tif 000006
【図５】
0003211770.tif 000007
【図６】
0003211770.tif 000008
【図７】
0003211770.tif 000009